(57)【要約】      （修正有）【課題】スーパーマーケット等の店舗において、現在は有料化が増えているレジ袋を使用しないで、購入した品物を持ち帰る事ができる多用途エコ風呂敷を提供する。【解決手段】スーパーマーケットの買物籠５に風呂敷を敷いて清算済みの品物を投入した時に、風呂敷の４辺が内側にズレることのない大きさの風呂敷本体１の頂点４か所にスナップを取り付け、更に方形の各４辺の２分の１の位置にスナップを取り付けた多用途エコ風呂敷で、更にその風呂敷は随時携帯出来る様コンパクトに折り畳むことができる。【選択図】図２
0003152349.tif 000002
【実用新案登録請求の範囲】
【請求項１】
方形風呂敷の四隅に雄雌２組の係止手段を備え取り付けたことを特徴とする多用途エコ風呂敷。
【請求項２】
前記風呂敷の裏面四隅のうち２箇所の対角線に雄雌の係止手段を取り付けたことを特徴とする請求項１に記載の多用途エコ風呂敷。
【請求項３】
係止手段はボタン類、パイルテープを取り付けたことを特徴とする請求項１に記載の多用途エコ風呂敷。
【請求項４】
方形風呂敷の４辺其々の２分の１の位置に４か所スナップを取り付けたことを特徴とする請求項１〜３のいずれかに記載の多用途エコ風呂敷。
【請求項５】
四隅に雄雌２組の係止手段を備えた方形風呂敷を２分の１に折り、次にそれを更に２分の１に折り、次にそれを対角線をはさんで２つ折りにし、次に１方の３角形の頂点と２等辺３角形の１方の角を重ね、次に他方の角を重ね、その重ね目を対角線として１方の頂点を対角線の折り目に重ね、他方も同様に重ね、係止手段のない反対側から巻き込んでロール状にし、係止手段１個所をロール状に包み込むように反対側にその角どうしのスナップを係止した形態にした多用途エコ風呂敷。
【考案の詳細な説明】
【技術分野】
【０００１】  本考案はスーパーマーケット等の店舗において、現在は有料化が増えているレジ袋を使用せずに購入した品物を入れて持ち帰るための、多用途エコ風呂敷に関するものである。
【背景技術】
【０００２】  スーパーマーケット等の店舗において、品物の精算作業は客がレジスターのところに運んできた買物籠の中の品物をレジスターに入力して、価格の入力済の品物を別の籠に一時的に移し、それを客自身が別のビニール袋に購入した品物を詰め替えるのが一般的である。
【先行技術文献】
【特許文献】
【０００３】
【特許文献１】  実用新案登録第３１２２７３３号
【特許文献２】  実開平５−４２１６５号
【考案の概要】
【考案が解決しようとする課題】
【０００４】  本考案の目的は、スーパーマーケットのレジを通して精算された品物が、風呂敷を内部に広げた買物籠に投入されても、風呂敷の４隅のスナップを留めておくことにより、買物籠の外側に垂れている部分の風呂敷が内側にずれ込むことなく、かつ、包み込んだ品物を迅速に手提げ状にして持ち運びできる、多用途エコ風呂敷を提供することにある。
【課題を解決するための手段】
【０００５】  上記の目的を達成する為の本考案に関わる多用途エコ風呂敷は、方形の４隅の頂点にスナップを取り付け、かつ、方形の各４辺の２分の１の位置にそれぞれスナップを取り付けた形で構成している。
（１）請求項１に関わる考案は、方形の風呂敷四隅の頂点に雄雌２組のスナップを取り付    け、係止でき、手提げ状にすることを特徴としている。
（２）請求項２に関わる考案は、請求項１において４隅の２か所の裏面にスナップを取り    付けることによって両隣または、対角線状に係止できることを特徴としている。
（３）請求項３に関わる考案は、ボタン類、パイルテープを取り付け係止し手提げ状にす    ることを特徴としている。
（４）請求項４に関わる考案は、方形の各４辺の２分の１の位置にそれぞれスナップを取    り付け、隣同士接続することを特徴としている。
（５）請求項５に関わる考案は、４隅に係止手段を取り付けた方形風呂敷をロール状に折    り畳んだことを特徴としている。
【考案の効果】
【０００６】  本考案によれば、スーパーマーケット等の店舗に於いて、精算後の籠の中の品物を客自身がレジ袋に詰め替える心要がなくなる。四隅のスナップ２か所をあらかじめ止めた状態で、精算済の商品を入れる籠にこの風呂敷を迅速に敷いておけば、精算済みの商品が投入されても風呂敷が内側にずれることがなく、かつ、そのまま包みこんで四隅を接続し手提げ状にして持ち帰ることができる。その結果レジ袋は不要となり、エコ対策の一環となる。【０００７】  この多用途エコ風呂敷の構造はシンプルで材質は化繊、綿、ナイロン、絹等が適している。これは、軽くて丈夫で汚れても洗濯可能である。また色柄も多彩にでき、実用的且おしゃれ感覚で使用できる。更に四隅をスナップで接続することにより、持ち手が小さくまとまり嵩張らないので、包み込む風呂敷の面積が十分とれ、日常の購入品のサイズに対応できる。また手の平で握ることにより重量に対して耐久性がある。【０００８】  また１枚の布状からなる多用途エコ風呂敷は、小さくコンパクトにまとめることができ、常時通勤バック等に収納して携帯しやすい。
【図面の簡単な説明】
【０００９】
【図１】本考案の多用途エコ風呂敷の全体図
【図２】本考案の多用途エコ風呂敷を買物籠に広げて敷いた状態を示す斜視図
【図３】本考案の多用途エコ風呂敷に購入品を包み、買物籠から取り出した状態を示す斜視図
【図４】本考案の多用途エコ風呂敷を折り畳むための手順１
【図５】本考案の多用途エコ風呂敷を折り畳むための手順２
【図６】本考案の多用途エコ風呂敷を折り畳むための手順３
【図７】本考案の多用途エコ風呂敷を折り畳むための手順４
【図８】本考案の多用途エコ風呂敷を折り畳むための手順５
【図９】本考案の多用途エコ風呂敷を折り畳むための手順６
【図１０】本考案の多用途エコ風呂敷を折り畳むための手順７
【図１１】本考案の多用途エコ風呂敷を折り畳むための手順８
【図１２】本考案の多用途エコ風呂敷を折り畳むための手順９
【図１３】本考案の多用途エコ風呂敷を折り畳むための手順１０
【図１４】本考案の多用途エコ風呂敷を折り畳むための手順１１
【図１５】本考案の多用途エコ風呂敷を折り畳むための手順１２
【考案を実施するための形態】
【００１０】以下に本考案の実施例を説明する。
【００１１】  図１は本考案による多用途エコ風呂敷１を示している。多用途エコ風呂敷１は風呂敷本体２の四隅の頂点にスナップ３が取り付けられ、また４隅の２分の１の位置にそれぞれスナップ４を取り付けてある。風呂敷本体の素材は化繊、綿、ナイロン、絹等であり、従来の風呂敷として流用できる。
【００１２】  図２は多用途エコ風呂敷１を買物籠５に広げ、隣り合う２隅のスナップ３を接続して敷いた状態を示している。多用途エコ風呂敷１はスーパーの買物籠５に敷いた時、内側にずれない様な大きさを有している。
【００１３】  スーパーマーケット等の店舗における品物の精算作業は、客がレジまで運んできた買物籠からレジスター要員が品物の価格をレジスターに入力し、価格の入力し終わった品物を別の買物籠５に移す作業である。本考案では、使用者はレジスター要員が精算を開始する前に、前記別の空の買物籠５に本考案の多用途エコ風呂敷１を素早く広げて敷き、図２の状態にしておく。そしてレジスター要員は価格の入力し終わった品物を多用途エコ風呂敷１が敷かれた買物籠５に投入していくことになる。
【００１４】  多用途エコ風呂敷を敷く場合は隣り合う２隅のスナップ３をそれぞれ予め留めて置き、買物籠５を包み込む様に敷くことにより、品物を入れても多用途エコ風呂敷１の４辺が内側にずれ込むことはない。
【００１５】  図３は購入品６を包み込んだ多用途エコ風呂敷１を買物籠５から取り出した状態を示している。全商品の精算が終了し、本考案の多用途エコ風呂敷１が敷かれた買物籠５に購入品６がすべて入れられたら、使用者はスナップ３により予め留められている多用途エコ風呂敷１の４隅部分２か所を持ち上げる。
【００１６】  更に４辺の２分の１の位置に付けられたスナップ４を隣同士で接続することで購入品６全体が包み込まれ、品物がこぼれ落ちることもなく、手提げ状になった多用途エコ風呂敷１を買物籠５から取り出し、そのまま持ち帰ることができる。
【００１７】  図４〜図１５は多用途エコ風呂敷１をコンパクトなロール状に折り畳むための手順を示している。
単に折り畳むだけよりも、ロール状に折り畳むことで、カバンの中でも押しつぶされることがなく、取り出し易く、携帯にも便利である。
【符号の説明】
【００１８】  １：多用途エコ風呂敷
２：風呂敷本体
３：スナップ大
４：スナップ小
５：買物籠
６：購入品
【図１】
0003152349.tif 000003
【図２】
0003152349.tif 000004
【図３】
0003152349.tif 000005
【図４】
0003152349.tif 000006
【図５】
0003152349.tif 000007
【図６】
0003152349.tif 000008
【図７】
0003152349.tif 000009
【図８】
0003152349.tif 000010
【図９】
0003152349.tif 000011
【図１０】
0003152349.tif 000012
【図１１】
0003152349.tif 000013
【図１２】
0003152349.tif 000014
【図１３】
0003152349.tif 000015
【図１４】
0003152349.tif 000016
【図１５】
0003152349.tif 000017